(57)【特許請求の範囲】
【請求項１】
瞼周辺に当接される下側開口と、点眼瓶の首部分を挿通する上側開口を有する点眼補助具において、
前記上側開口内に前記点眼瓶首部分の把持部が設けられ、
該把持部は把持幅が変更可能であって、この把持部は略並列配置された２片の弾性部材を有し、これらが湾曲することによって形成される湾曲内面の間に把持孔が形成されるものであることを特徴とする点眼補助具。
【請求項２】
前記略並列配置された２片の弾性部材の一方端が点眼補助具本体に遊着或いは固定され、他方端が前記一方端に向かって移動可能な押付部に取付けられ、該他方端の移動によって前記把持孔の大きさが変更可能である請求項１に記載の点眼補助具。
【請求項３】
前記２片の弾性部材が、把持側面に凹凸を有する請求項１または２に記載の点眼補助具。
【請求項４】
瞼周辺に当接される下側開口と、点眼瓶の首部分を挿通する上側開口を有する点眼補助具において、
前記上側開口内に前記点眼瓶首部分の把持部が設けられ、
該把持部は把持幅が変更可能であって、この把持部は前記上側開口近傍の壁面を貫通する少なくとも１以上のネジを有し、該ネジの回転によってネジ先端が進行することにより前記把持幅が変更されるものであることを特徴とする点眼補助具。
【発明の詳細な説明】
【０００１】
【発明の属する技術分野】
本発明は、点眼瓶より目薬を注す際に用いる点眼補助具に関するものである。
【０００２】
【従来の技術】
目薬を注す際には、通常顔を上に向けて眼球上方に点眼瓶を位置させ、該点眼瓶から目薬液を滴下させて眼球に供給する様にしている（点眼手法▲１▼）。
【０００３】
また顔を横に傾斜させ、目薬瓶の滴下口を目尻に近接させて目薬を眼球に供給する手法（点眼手法▲２▼）もあるが、該点眼手法▲２▼は眼球に点眼瓶滴下口が接触する恐れがあり、該滴下口の汚染が懸念されることから、上記点眼手法▲１▼が推奨されている。
【０００４】
ところが上記点眼手法▲１▼は、点眼瓶を眼球上方の中空に正確に位置させることが難しく、従って目薬液を目とは違うところ、例えば頬等に滴下してしまい、何度もやり直さなければならないという事態がしばしば生じる。
【０００５】
また眼球の手術の後等の様に、目が見えない状態の時に目薬を注す場合には、手探りで勘に頼って注すしかなく、或いは自分自身で差さずに他の人に差してもらうことになる。
【０００６】
そこで点眼の際に下記の様な点眼補助具を用いることが提案されている。
【０００７】
従来の上記点眼補助具は、下側開口と上側開口を有する略筒型のものであり、上記上側開口に点眼瓶の首部分を装着して点眼補助具筒内に点眼瓶滴下口が位置する様にし、上記下側開口を瞼周辺に当接させて目薬液を滴下するというものである（実開平３−７５７３７号公報，特開平４−８２５５３号公報，特開平９−３１３５７１号公報，登録実用新案公報第３０３２０５５号）。このとき点眼瓶滴下口は眼球と一定間隔を開けて位置し、眼球に上記滴下口が接触することがなく、また顔を上に向けることで眼球に正確に滴下させることができる。
【０００８】
また一対の開瞼部材を備えた点眼補助具も提案されている（特開平１０−２１６１９３号公報）。目薬液が滴下される際に瞼を閉じてしまう傾向があることから、上記開瞼部材により強制的に瞼を拡げようとするものである。
【０００９】
【発明が解決しようとする課題】
ところで例えば図７の(a)〜(e)（蓋を外した状態の点眼瓶を示す正面図）に示す様に点眼瓶には様々な形状があり、従って上記点眼補助具への点眼瓶の装着箇所の形状も様々なものとなるから、点眼瓶毎に適合した形状の点眼補助具を用意する必要がある。
【００１０】
仮に不適合な点眼補助具を使用すると、即ち例えば点眼瓶に対して点眼補助具の取付箇所が大き過ぎたり、或いは小さ過ぎたりすると点眼瓶がぐらつき、却って点眼し辛くなるという問題がある。
【００１１】
特に目の疾病をかかえる人は複数の点眼薬を使用する傾向にあり、それぞれの点眼瓶に対してそれぞれの点眼補助具を用意する必要が生じ、煩雑となるという問題がある。
【００１２】
そこで本発明は、様々な形状の点眼瓶に対して使用可能な点眼補助具を提供することを目的とする。
【００１３】
【課題を解決するための手段】
本発明に係る点眼補助具は、瞼周辺に当接される下側開口と、点眼瓶の首部分を挿通する上側開口を有する点眼補助具であって、前記上側開口内に前記点眼瓶首部分の把持部が設けられ、該把持部は把持幅が変更可能であって、この把持部は略並列配置された２片の弾性部材を有し、これらが湾曲することによって形成される湾曲内面の間に把持孔が形成されるものであることを要旨とする。
【００１４】
点眼瓶の把持部の把持幅が変更可能であるから、様々な形状の点眼瓶に対して適応可能である。
【００１５】
また本発明においては、前記把持部は略並列配置された２片の弾性部材を有し、これらが湾曲することによって形成される湾曲内面の間に把持孔が形成されるものであることが好ましい。
【００１６】
上記２片の弾性部材が形成する前記把持孔に上記点眼瓶の首部分を装着すると、上記弾性部材の復元力によって上記点眼瓶首部分が狭持されて固定される。
【００１７】
尚上記弾性部材としては合成樹脂製のものや金属製のものが挙げられ、生産コストを低くするという観点からは上記合成樹脂製のものが好ましく、耐久性の観点からは上記金属製のものが好ましい。
【００１８】
加えて本発明においては、前記略並列配置された２片の弾性部材の一方端が点眼補助具本体に遊着或いは固定され、他方端が前記一方端に向かって移動可能な押付部に取付けられ、該他方端の移動によって前記把持孔の大きさが変更可能であることが好ましい。
【００１９】
上記押付部を上記一方端（即ち点眼補助具本体内）に向かって押すことによって、上記２片の弾性部材がそれぞれ外側に湾曲し、該湾曲内面の間の把持孔が大きく広がり、点眼瓶首部分を挿入し易くなる。点眼瓶首部分を挿入した後、上記押付部の押圧を解除することにより、上記弾性部材が復元し、上述の様に点眼瓶首部分が狭持，固定される。
【００２０】
この様な把持部を有する点眼補助具は、構造が簡単で安価に製造することができ、また使用手法としても上記押付部の押圧・押圧解除という簡単な操作で点眼瓶の着脱を行うことができる。
【００２１】
更に本発明においては、前記２片の弾性部材が把持側面に凹凸を有するものであることが好ましい。
【００２２】
上記凹凸により点眼瓶首部分が滑り難くなり、点眼瓶首部分をよりしっかりと狭持，固定することができる。
【００２３】
或いは本発明に係る点眼補助具は、瞼周辺に当接される下側開口と、点眼瓶の首部分を挿通する上側開口を有する点眼補助具において、前記上側開口内に前記点眼瓶首部分の把持部が設けられ、該把持部は把持幅が変更可能であって、この把持部は前記上側開口近傍の壁面を貫通する少なくとも１以上のネジを有し、該ネジの回転によってネジ先端が進行することにより前記把持幅が変更されるものであることを特徴とする。
【００２４】
この様にネジ式により把持幅を変更可能に構成しても良く、把持幅を広げて点眼瓶を装着した後、把持幅を狭くして点眼瓶首部分を固定する様にする。
【００２５】
【発明の実施の形態及び実施例】
＜実施例１＞
図１は本発明の実施例１に係る点眼補助具を示す斜視図であり、図２は該点眼補助具の上面図である。
【００２６】
点眼補助具本体１１は下側開口１６と上側開口１５（開口径10〜20mm）を有する略筒状（孔の開いたカップ型）をしており、上記上側開口１５近傍には２片のポリプロピレン製弾性部材１２，１３が略並列に配置されている。上記弾性部材１２，１３の一方端１２ａ，１３ａは点眼補助具本体１１の側壁上方に固定されており、該固定位置と対向した位置の点眼補助具本体１１側壁上方に他方端１２ｂ，１３ｂが遊貫して取付けられている。この貫通孔１８から突出した上記他方端１２ｂ，１３ｂ先端には押付部１４に取付けられている。これら弾性部材１２，１３間が把持孔１７となる。
【００２７】
図４の(a)は上記実施例１の把持部（弾性部材１２，１３及び押付部１４）を示す上面図であり、(b)は上記弾性部材１２を把持側から見た図である。
【００２８】
弾性部材１２，１３はいずれも把持側面に凹凸が形成されており、滑り難くなっている。
【００２９】
次に上記実施例１の点眼補助具の使用方法について述べる。
【００３０】
上記押付部１４を上記一方端１２ａ，１３ａに向かって押して一方端１２ａ，１３ａ−他方端１２ｂ，１３ｂ間を狭めることにより、弾性部材１２，１３を互いに外側に湾曲させ、把持孔１７の把持幅Ｗを広くする（図２の(a)）。
【００３１】
この把持孔１７に点眼瓶１９の首部分、例えば蓋用スクリュー部分を位置させ、上記押付部１４の押圧を解除して上記弾性部材１２，１３を復元させ、該復元力により点眼瓶１９首部分を狭持，固定する（図２の(b)）。図３は上記実施例１の点眼補助具に点眼瓶１９を装着した状態を合わす斜視図である。尚図１，２と同じ構成部分については同一の符号を付して重複説明を避ける。
【００３２】
そして上記下側開口１６を瞼周辺に当接させて目薬液を滴下する。
【００３３】
図５の(a)〜(e)は、様々な形状の点眼瓶を上記実施例１の点眼補助具に装着した状態を表す縦断面図であり、図３に示すＡ−Ａ線矢印で示す方向の断面に相当する。尚図１，２と同じ構成部分については同一の符号を付して重複説明を避ける。
【００３４】
上述の様に上記実施例１の点眼補助具は把持幅Ｗを変更可能であり、また弾性部材１２，１３の狭持により種々の大きさの点眼瓶首部分を固定できるから、１つの点眼補助具で様々な点眼瓶を適用可能である。
【００３５】
また押付部１４を押して点眼瓶１９をはめるだけの簡単な操作であるから、目が見えない場合等であっても使用可能である。
【００３６】
加えて上記実施例１はポリプロピレン製であるから、容易に洗浄することができ、且つ乾き易いから、頻繁に洗浄することができて清潔性を保ち易い。
【００３７】
＜実施例２＞
図６は本発明の実施例２に係る点眼補助具を示す上面図である。図１，２と同じ構成部分については同一の符号を付して重複説明を避ける。
【００３８】
点眼補助具本体１１の上側開口１５近傍壁には、２つのネジ２２，２３が対向して設けられており、該ネジ２２，２３を回転させることによって把持幅Ｗを変更できる様になっている。尚図中２４，２５は上記ネジ２２，２３の摘み部である。
【００３９】
この実施例２の点眼補助具の使用にあたっては、ネジ２２，２３の一方又は両方を回転させて把持幅Ｗを広げ、点眼瓶の首部分を位置させ、次いでネジ２２，２３の一方又は両方を逆回転させて把持幅Ｗを狭め、点眼瓶首部分を固定する。
【００４０】
本実施例２においても様々な点眼瓶を装着可能である。
【００４１】
以上の様に、本発明に係る点眼補助具に関して実施例を示す図面を参照しつつ具体的に説明したが、本発明はもとより図示例に限定される訳ではなく、前・後記の趣旨に適合し得る範囲で適当に変更を加えて実施することも可能であり、それらはいずれも本発明の技術的範囲に包含される。
【００４２】
例えば上記実施例１における弾性部材１２，１３の把持側面の凹凸形状としては、図４に示す様な一方端１２ａ近傍から他方端１２ｂ近傍に至る波形形状（縦方向の縞形）に限らず、該波形と直交する方向の波形（横方向の縞形）としても良く、またドット状に凹凸を形成したものであっても良い。
【００４３】
また上記実施例１の様に弾性部材１２，１３の一方端１２ａ，１３ａが点眼補助具本体１１壁面に固定されたものに限らず、点眼補助具本体１１壁から脱離しない程度に遊着されたものであっても良い。
【００４４】
更に上記実施例２においては２つのネジを用いたが、一方を固定型の突起としても良い。また３以上のネジで止める構造としても良い。
【００４５】
【発明の効果】
本発明に係る点眼補助具は、把持幅を変更可能であるから、様々な形状の点眼瓶に対して使用可能である。従って１つの点眼補助具を用意するだけで済む。
【図面の簡単な説明】
【図１】本発明の実施例１に係る点眼補助具を示す斜視図。
【図２】図１に示す実施例１の点眼補助具の上面図。
【図３】実施例１の点眼補助具に点眼瓶を装着した状態を合わす斜視図。
【図４】  (a)は実施例１の把持部を示す上面図、(b)は実施例１の弾性部材を把持側から見た図。
【図５】様々な形状の点眼瓶を実施例１の点眼補助具に装着した状態を表す断面図。
【図６】本発明の実施例２に係る点眼補助具を示す上面図。
【図７】蓋を外した状態の点眼瓶を示す正面図。
【符号の説明】
１１  点眼補助具本体
１２，１３  弾性部材
１４  押付部
１５  上側開口
１６  下側開口
１７  把持孔
１８  貫通孔
１９  点眼瓶
２２，２３  ネジ
２４，２５  摘み部
【図１】
0004267740.tif 000002
【図２】
0004267740.tif 000003
【図３】
0004267740.tif 000004
【図４】
0004267740.tif 000005
【図５】
0004267740.tif 000006
【図６】
0004267740.tif 000007
【図７】
0004267740.tif 000008